(57)【特許請求の範囲】
【請求項１】
ＩＣコインの情報を読取って処理動作を実行する遊技機用ＩＣコイン処理装置であって、
正逆転自由に回転するロータと、そのロータを内蔵するケーシングとから構成され、
前記ロータは、ＩＣコイン受入れ用に凹部形成したコインポケットを外周面上に開口して設け、
前記ケーシングは、前記ロータのコインポケットと対応する回転軌跡上の位置に開口してＩＣコインを受入れ可能な受入口と、
前記ロータのコインポケットと対応する回転軌跡上の位置に開口して返却通路の入口と対応する返却口と、
前記ロータのコインポケットと対応する回転軌跡上の位置に開口して回収通路の入口と対応する回収口と、
前記ＩＣコインをコインポケットに受入れた状態で、ＩＣコインに非接触に読取りおよび書込み処理する情報処理部と、
前記ＩＣコインをコインポケットに受入れた状態で待機させる待機部とを設け、前記ロータのコインポケットの回転停止位置を、前記ケーシングの受入口と、返却口と、回収口と、情報処理部と、待機部との各対応位置に回転移動させる回転制御手段を備えたことを特徴とする
遊技機用ＩＣコイン処理装置。
【請求項２】
前記ロータに備えられるコインポケットを、回転中心位置を基準とする円板の１８０°向きの異なる２か所の位置に開口したことを特徴とする
請求項１に記載の遊技機用ＩＣコイン処理装置。
【請求項３】
前記ケーシングには前記ロータのコインポケットと対応する回転軌跡上の位置に対応して開口するＩＣコインの補給口を接続した
請求項１または２記載の遊技機用ＩＣコイン処理装置。
【請求項４】
前記ケーシングは、内蔵されたロータのコインポケット部分を開放可能に開閉許容して設けた
請求項１、２または３記載の遊技機用ＩＣコイン処理装置。
【請求項５】
請求項１、２、３または４に記載の遊技機用ＩＣコイン処理装置を内蔵した
台間機。
【請求項６】
投入された価値媒体の価値情報を、ＩＣコイン発行用またはＩＣコインの価値情報更新用に受付ける入力手段と、請求項１、２、３または４に記載の遊技機用ＩＣコイン処理装置とを備えて構成した
台間機。
【発明の詳細な説明】
【０００１】
【発明が属する技術分野】
この発明は、例えばパチンコ遊技場（遊技ホール）において、パチンコ機あるいはパチスロ機（スロットマシン）などの遊技機に使用されるパチンコ球やメダルのような遊技動体を貸出す遊技機用ＩＣコイン処理装置および台間機に関する。
【０００２】
【従来の技術】
一般に、パチンコ遊技場などの遊技ホールに設置されるスロットマシンは、現金の管理を容易化するために、プレーヤにプリペイドカードを発行し、該カードに記憶されたデータからゲームプレイの都度、メダル利用分を減額してプレーヤが遊技をするシステムを導入している。
【０００３】
上述のシステムにおいて発行されるプリペイドカードは、遊技ホール内の販売に適した位置に専用販売機を設置して、プレーヤがプレーする前にプリペイドカードを購入させる方法であるが、このプリペイドカードの価値がなくなると、プレーヤは席を立って再び専用販売機で新たにプリペイドカードを再購入する必要があり、このためにプレーヤは遊技の中断を余儀なくされていた。
【０００４】
このため、プリペイドカード発行機を備えた台間機をスロットマシンに隣設することが図られているが、この場合はプリペイドカードの購入操作と、このプリペイドカードを受取って、スロットマシンに投入する投入操作とを要して操作が煩雑になり、また同カードの価値がなくなると廃棄されてしまう消耗品として扱われており、カードが十分に有効利用されなかった。
【０００５】
近年、上述のカードの再利用を図ったリサイクルタイプの遊技カードが提案されている（例えば実開平５−２１９８９号公報参照）。
このリサイクルタイプの遊技カードは価値がなくなると、貨幣を投入させ、その投入分の金額を遊技カードに書込んで再利用するものである。
【０００６】
しかし、この遊技セットされた遊技カードは遊技中にプレーヤによって抜取り自由な構成であり、プレーヤが遊技台を移動する毎に抜取られるため、抜出された遊技台に対しては係員が新たな遊技カードを補充セットする必要があり、多数の遊技台に対して１枚ずつ補充するために運用管理上、手間がかかっていた。
【０００７】
また、カードであるが故にプレーヤの取扱い操作によっては折れ曲ったり、大きく弯曲して破損することがあり、外力によって簡単に変形破損してしまう問題を有していた。
【０００８】
【発明が解決しようとする課題】
そこでこの発明は、係員による補充作業を要せず、しかもプレーヤが扱いやすいコイン形状であるほか、厚みのある耐久性に優れたコイン形状にできるため、プレーヤの操作性を向上し、また遊技ホールの管理に適した運用を図ることができる遊技機用ＩＣコイン処理装置および台間機の提供を目的とする。
【０００９】
【課題を解決するための手段】
この発明は、ＩＣコインの情報を読取って処理動作を実行する遊技機用ＩＣコイン処理装置であって、正逆転自由に回転するロータと、そのロータを内蔵するケーシングとから構成され、前記ロータは、ＩＣコイン受入れ用に凹部形成したコインポケットを外周面上に開口して設け、前記ケーシングは、前記ロータのコインポケットと対応する回転軌跡上の位置に開口してＩＣコインを受入れ可能な受入口と、前記ロータのコインポケットと対応する回転軌跡上の位置に開口して返却通路の入口と対応する返却口と、前記ロータのコインポケットと対応する回転軌跡上の位置に開口して回収通路の入口と対応する回収口と、前記ＩＣコインをコインポケットに受入れた状態で、ＩＣコインに非接触に読取りおよび書込み処理する情報処理部と、前記ＩＣコインをコインポケットに受入れた状態で待機させる待機部とを設け、前記ロータのコインポケットの回転停止位置を、前記ケーシングの受入口と、返却口と、回収口と、情報処理部と、待機部との各対応位置に回転移動させる回転制御手段を備えたことを特徴とする。
【００１０】
ここで、ＩＣコインとは非接触にデータ通信するデータ送受信用のアンテナ、モデム、データの記憶部を内蔵して円形のコイン状に形成し、このコインのデータを遊技機における遊技動体の払出し用または遊技動体データの払出し用に設定している。
【００１１】
上述のロータとは、モータの回転力を受けて回転する円板の外周面に、ＩＣコインを収納可能なＵ字形などの凹部形状に切欠いて設けたコインポケットを作成して構成することができる。
【００１２】
上述のケーシングとは、ロータを回転自由に内蔵する円形の収納スペースを有し、ロータの外周面と対応する任意の位置を開口してＩＣコインの出入れ部分に設定し、ＩＣコインの処理に必要な受入口、返却口、回収口を形成することができる。
【００１３】
例えば、受入口の開口位置を設定する場合は、ＩＣコインの自重を考慮してロータのコインポケットが投入されたＩＣコインを受入れる斜め上向きに開口した位置になるように受入れ方向を設定する。これに対し、返却口や回収口の開口位置を設定する場合は、同じくＩＣコインの自重を考慮してコインポケットはＩＣコインが自重で下方に落下する下向きに開口した位置に設定する。
【００１４】
上述の情報処理部とは、ＩＣコインと非接触に通信するアンテナを備えて構成することができる。
【００１５】
上述の待機部とは、ロータのコインポケットにＩＣコインを収納した状態で、ロータを回転停止させたロータの回転軌跡上の任意の位置に設定することができる。
【００１６】
この発明によれば、ＩＣコインを受入れるコインポケットを備えたロータをケーシング内で正逆転自由に回転制御することにより、ＩＣコインを受入位置、情報処理位置、返却位置、回収位置、待機位置、視認位置などの処理目的位置に容易に回転移動させることができる。
【００１７】
このとき、ロータは回転移動式のため、周方向に受入位置、情報処理位置、返却位置、回収位置などの多くの対応位置をコンパクトに効率よく設けることができ、しかもロータの設置スペースは必要最小限で済むため、遊技機用ＩＣコイン処理装置の小型化が図れる。
【００１８】
ことに、ＩＣコインは掌に把持し易い円形状を有しているためプレーヤは扱い易く、また耐久性に富むため、カードのように変形して破損される恐れがない。
【００１９】
また、上述のロータに備えられるコインポケットは１か所でもよく、望ましくは回転中心位置を基準とする円板の１８０°向きの異なる２か所の位置に開口して設けるのがよい。
【００２０】
この場合は、２つのコインポケットが１８０°の向きの異なる配置関係にあるため、２か所のコインポケットを使い分けることができ、ロータは１８０°以内の回転量で全ての処理位置に対応させることができる。
【００２１】
また、受入口はロータのコインポケットが該受入口と対応したとき、受入口が開放されてＩＣコインを受入れ許容し、非対応時にはロータのコインポケットが形成されていない外周面が受入口を閉鎖した対応位置になり、ロータの外周面自体がシャッタ機能の役割を果たすことができる。
【００２２】
さらに、ケーシングにはロータのコインポケットと対応する回転軌跡上の上方対応位置にＩＣコインを補給する補給口を接続することができる。
【００２３】
この場合は、プレーヤだけでなく補給口よりＩＣコインをコインポケットに補給させることができる。したがって、ゲーム前にプレーヤがＩＣコインを持っていなくても、価値情報の入力操作に連動させてＩＣコインを補給させれば、プレーヤはＩＣコイン発行機でＩＣコインを購入することなく、そのままでゲームを開始することができる。
【００２４】
また、ケーシングに組込まれたロータのコインポケット部分を開放可能にケーシングを開閉許容して設けることができる。
【００２５】
この場合は、内部点検が容易であるほか、ケーシング内部のコインポケットの部分で、仮にコイン詰りが発生しても、ケーシングを開放することによりコイン詰りを容易に除去することができる。
【００２６】
このような遊技機用ＩＣコイン処理装置を内蔵して台間機を構成した場合は、この台間機で扱われるＩＣコインを遊技動体の払い出し媒体に用いることができる。
【００２７】
さらに、投入された現金あるいは価値データを持つ価値媒体の価値情報を、ＩＣコインの発行用またはＩＣコインの価値情報更新用に受付ける入力手段と、遊技機用ＩＣコイン処理装置とを備えて台間機を構成することができる。この場合は、ＩＣコインを投入しなくても、入力手段から価値情報を入力させれば、価値情報が入力された新規のデータを有するＩＣコインを作成することができるため容易に遊技継続できる。
【００２８】
例えば、価値がなくなったＩＣコインを待機部に待機させ、その後、価値情報が入力されると、ＩＣコインを待機位置から情報処理位置に導いて入力されたデータ更新分の価値情報を記録すればよく、このＩＣコインを新規のＩＣコインとして再利用することができる。
【００２９】
【発明の効果】
この発明によれば、コインポケットを備えたロータを回転制御することにより、ＩＣコインを処理目的位置に容易に回転移動させて処理することができる。また、ロータは回転移動式のため、設置スペースは必要最小限で済み、遊技機用ＩＣコイン処理装置の小型化が図れる。
【００３０】
また、ＩＣコインのリサイクル運用を図る場合は、価値がなくなったＩＣコインを情報処理部の位置に導いて価値情報を記録すればよく、ＩＣコインを容易に再利用できる。
【００３１】
ことに、ＩＣコインはプレーヤが扱いやすい円形状であり、しかも耐久性に富むため、カードのように変形して破損される恐れがない。また、データ管理に対しては、カードのように直線方向に対する押込み操作や引出し操作ではなく、ＩＣコインは投入するだけで自然に転動して内方に取込まれる。取込み後は、ロータの内部に位置するため定位置に確保され、その後の回収、返却などの処理においてもＩＣコインの自重を有効利用して処理することができる。
【００３２】
【発明の実施の形態】
この発明の一実施の形態を以下図面に基づいて説明する。
図面は、遊技機用ＩＣコイン処理装置を含む遊技機システムを示し、図１は遊技機システムを示し、ホストコンピュータ１０に対して、複数の島Ａ１，Ａ２の遊技機１１（パチンコ遊技台１１ａ、スロット（パチスロ）遊技台１１ｂ）の一側に隣設した台間機１２（パチンコ用台間機１２ａ、スロット用台間機１２ｂ）が、ケーブル１３を介してデータの送受信を可能に接続し、またＩＣコイン発行機１４およびＩＣコイン精算機１５もケーブル１３を介して、データの送受信を可能に接続している。また、上述のホストコンピュータ１０は他のシステム、例えば営業管理用のホストコンピュータに接続することができる。
【００３３】
上述のパチンコ遊技台１１ａは、パチンコ球を遊技動体として遊技し、またスロット遊技台１１ｂは、メダルを遊技動体として遊技することは周知の通りである。
【００３４】
台間機１２は、遊技機１１（１１ａ，１１ｂ）に対応したパチンコ球などの遊技動体を払出すか、あるいはメダル枚数データを払出し、これらの払出し用媒体としてＩＣコインが利用される。
上述のＩＣコインは台間機１２に現金を投入することにより発行して、この発行したＩＣコインを使用することができると共に、前述のＩＣコイン発行機１４で発行したＩＣコインを使用することもできる。
【００３５】
なお、島Ａ１，Ａ２の端部には、遊技機１１に投入した現金（紙幣）を回収し、また、遊技機１１にプールしたＩＣコインがオーバフローした場合、これを回収する回収機１６を配設している。
【００３６】
前述のＩＣコイン発行機１４は、前述のＩＣコイン、すなわち、遊技機１１における遊技動体（パチンコ球）の払出し用媒体として使用するＩＣコイン（後述する）を発行し、この発行は現金（貨幣）の投入に基づいて、該現金の金額（価値）に対応する金額（価値）のデータをＩＣコインに記録して放出する。
【００３７】
前述のＩＣコイン精算機１５は、プレーヤが遊技を止めた際、使用したＩＣコインに残価値がある場合、ＩＣコインを投入して、その残価値分の現金（貨幣）を放出することによりＩＣコインの価値を清算する。
【００３８】
図２、図３に示すように、前述のＩＣコイン２０は、全体形状（外観）を合成樹脂で偏平な円盤状、つまりコイン状に形成し、表裏両面は印刷面に設定して、例えば定額の「１０００円」の金額価値を示す文字を印刷（または刻設）している。なお、金額価値はこれに限定されるものではない。
【００３９】
また、ＩＣコイン２０の内部には、ＩＣモジュール２１を内蔵している。図４は、ＩＣモジュール２１に形成される回路構成を示し、ＣＰＵ２２はＲＯＭ２３に格納されたプログラムに沿って、各回路装置を駆動制御し、ＲＡＭ２４は動作に必要なデータを記憶する。不揮発性で消去・再書込み可能なＥＥＰＲＯＭ２５は価値データを記録する。また、Ａ／Ｄ変換器２６とアンテナ２７とにより通信手段を構成しており、この通信手段により台間機１２、ＩＣコイン発行機１４，ＩＣコイン精算機１５に投入されたとき、それぞれの本体側の通信手段と非接触状態でデータの送受信が可能である。電源回路２８はアンテナ２７に信号を受信したときの起電力により電源を発生して、各回路に供給している。
【００４０】
図５は、上述のＥＥＰＲＯＭ２５の記録エリアに記録されるデータを示し、記録エリアはデータの書換えが不可能なシステムエリアと、データの書換えが可能なデータエリアとを設定し、システムエリアには、ユニーク番号と、ホール番号とを記録し、データエリアには、金額（または度数）と、日付（発行日）と、書込み回数とのデータを記録している。
【００４１】
上述のシステムエリアのユニーク番号データは、各ＩＣコインに割り当てられた番号で、大きな桁数で設定することができるので、他のＩＣコインと番号が重合することが避けられ、このユニーク番号を管理することで不正使用を防止することができる。また、システムエリアのホール番号データは、ＩＣコイン２０の使用を可能にした遊技ホールを示す番号であって、これらの番号を遊技ホール毎に対応させて管理することにより信頼のあるセキュリティが得られる。
【００４２】
前述のデータエリアの金額は、発行時に投入された貨幣の金額価値データであり、日付データはＩＣコイン２０に金額データを記録して発行した発行日、書込み回数データは、データを書き込んだ回数データであって、これらのデータは使用の度に書換えられる。なお、金額のデータに替えて、可能な払出しの回数を示す度数データを価値データとすることもできる。また、書込み回数はＩＣコインの使用限界を設定したとき、この回数で規制することができる。
【００４３】
次に、ＩＣコインの処理に際して、パチンコ用台間機１２ａとスロット用台間機１２ｂとはＩＣコイン２０の処理が同一構造であるため、以下、図６に示すスロット用台間機１２ｂに適用した場合について説明する。
【００４４】
上述のスロット用台間機１２ｂは台間スペースに適した狭幅でスロット遊技台１１ｂと同高さの縦長形状を有し、その前面の上部より下部にかけて電源ランプ３１と、紙幣挿入口３２と、コイン投入口３３と、コイン返却ボタン３４と、コイン確認窓３５と、コイン表示器３６と、払出しボタン３７と、コイン返却口３８と、施錠装置３９とを、この順に配設している。
【００４５】
上部側の電源ランプ３１は、点灯・消灯させて、現在のスロット用台間機１２ｂの利用可否状態を表示案内する役目を有している。
【００４６】
その下部の紙幣挿入口３２は、紙幣を垂直状態に受入れ許容する開口部を有し、ここに例えば千円札が挿入され、内方には紙幣処理装置を備えて挿入された紙幣の真偽判別、金種判別を行い、有効な紙幣を識別したときは受付け許容して紙幣を内部に取込み、無効と判別したときは受付け拒否して紙幣を紙幣挿入口３２より外部に戻して返却する。
【００４７】
次に、コイン投入口３３と連通する内方には、後述するＩＣコイン処理装置が内蔵されており、ここにＩＣコイン２０を導いてデータ処理する処理機能を持たせている。
【００４８】
その下部のコイン返却ボタン３４は、同ボタン３４の押下操作に連動して投入したＩＣコイン２０を下方のコイン返却口３８より返却させる。
【００４９】
さらに、その下部に位置するコイン確認窓３５は、プレーヤに外部から内部の使用されるＩＣコイン２０の存在を視認させる透明の窓であり、プレーヤ側より確認可能な任意の位置に設定する。また、確認に際しては、コイン確認窓３５に限らず、コイン投入口３３より視認可能に設けることもできる。このような確認機能を持たせることにより、プレーヤにＩＣコイン２０の各処理毎の状態を確認させることができ、プレーヤに安心感のある遊技を提供できる。
【００５０】
続いて、その下部に位置するコイン表示器３６は、ＩＣコイン２０の残価値情報を表示し、この表示機能を持たせることにより、プレーヤに対するサービス性を高めている。
【００５１】
同じく、その下部の払出しボタン３７は、プレーヤが該ボタン３７を押下操作することに連動して、ＩＣコイン２０に記録されているメダル枚数データが使用対象のスロット用遊技台１１ｂのデータ制御部へと払出される。
【００５２】
また、上述の払出しボタン３７に対しては点灯表示して、この払出しボタン３７の操作性を高めるために、該ボタン３７にランプ３７ａを組込んで一体構成している。
【００５３】
さらに、その下部のコイン返却口３８には、コイン返却ボタン３４の押下操作に連動して、ここにＩＣコイン２０が返却される。そして、最下部の施錠装置３９はスロット用台間機１２ｂ自体をスロット用遊技台１１ｂの隣設位置に着脱する際のロック、ロック解除がなされる。
【００５４】
図７はスロット用台間機１２ｂの内方に組込まれるＩＣコイン処理装置４０を示し、このＩＣコイン処理装置４０は正逆転自由に回転するロータ４１と、このロータ４１を内蔵するケーシング４２とから構成される。
【００５５】
上述のロータ４１は、円板の回転中心位置を基準に１８０°向きの異なる外周面上の２か所の位置に、ＩＣコイン受入れ用にＵ字形に凹部形成したコインポケット４３ａ，４３ｂを開口して設け、回転中心位置に取付けた回転軸４４がケーシング４２の内部に対応して設けられる図示しない軸受部に軸支されて、正逆転自在に回転許容されている。
【００５６】
また、ロータ４１の背面側の外周内面にはロータギヤ４５を一体に螺刻しており、ここに後述するケーシング側のギヤが接続されてロータ４１に回転力が伝達される。
【００５７】
上述のケーシング４２は、ロータ４１の両面と外周面とを囲む如く対応する円形の収納空間を内部に有し、このうち図７において、ロータ４１のコインポケット４３ａ，４３ｂと対応する回転軌跡上の右斜め上方位置を、上述したコイン投入口３３とは図示しない投入通路を介して連通し、投入されたＩＣコイン２０を受入れ可能な受入口４６を開口している。
【００５８】
また、ロータ４１の何れかのコインポケット４３ａ，４３ｂと対応する回転軌跡上の左斜め上方位置を図示しない補給通路と連通し、上方からＩＣコイン２０を補給する補給口４７に開口している。
【００５９】
さらに、ロータ４１の何れかのコインポケット４３ａ，４３ｂと対応する回転軌跡上の右斜め下方位置を、上述したコイン返却口３８とは図示しない返却通路を介して連通し、返却すべきＩＣコイン２０を落下させて返却可能な返却口４８を開口している。
【００６０】
同じく、ロータ４１の回転軌跡上の左斜め下方位置を、図示しない内方の回収部に接続される回収通路の入口と対応させて連通し、これより回収すべきＩＣコイン２０を落下させて回収させる回収口４９を開口している。
【００６１】
このようにロータ４１の回転軸４４を中心とする円周上の４等分した位置に、受入口４６と補給口４７と返却口４８と回収口４９がそれぞれ対応し、ロータ４１を９０°ずつ回転制御して位置決め対応することができる。
【００６２】
このうち、コインポケット４３ａ，４３ｂが対応する受入口４６との対向位置を受入位置ａ1 に設定している。
【００６３】
また、補給口４７と対応する位置には、ロータ４１に取込んだＩＣコイン２０と非接触にデータの送受信を行うＲ／Ｗ（リーダライタ）アンテナ５０を設置して、ここでＩＣコインに情報処理を行う情報処理位置ａ2 に兼用している。
【００６４】
また、コインポケット４３ａ，４３ｂが対応する返却口４８との対向位置を返却位置ａ3 に設定し、回収口４９と対応する位置を回収位置ａ4 に設定している。
【００６５】
そして、返却口４８と回収口４９と対応する下側位置には、ＩＣコイン２０を落下規制するシャッタ機構５１を備えており、このシャッタ機構５１は共通するシャッタソレノイド５２の駆動に基づいて回動軸５３が回動し、この回動軸５３に共通して接続された返却口シャッタ５４と回収口シャッタ５５は開閉動作して、ＩＣコイン２０を落下規制・解除する。
【００６６】
さらに、回収口４９と対応する回収位置を、ＩＣコインをコインポケットに受入れた状態で待機させる待機位置ａ4 に兼用して設けている。
【００６７】
また、ケーシング４２の内部に組込まれたロータ４１のコインポケット４３ａ，４３ｂの部分を開放可能にケーシング片面のカバー４２ａを本の如く見開きできるように一側の枢支部４２ｂを開閉支点に開閉許容して設けている。
【００６８】
このような開閉機能を持たせた場合は、ケーシング４２内の内部点検が必要な場合に開放して容易点検することができる。このほか、ケーシング内部のコインポケットの部分で、仮にコイン詰りが発生しても、ケーシング片面のカバー４２ａを開放することによりコイン詰りを容易に除去することができる。
【００６９】
上述のロータ４１の回転駆動制御に際しては、駆動モータＭの駆動ギヤ５６と、既述したロータギヤ４５との間を、第１〜第３中間ギヤ５７〜５９を噛合させて動力伝達し、駆動モータＭの正逆転駆動に基づいてロータ４１は正回転駆動される。
【００７０】
図８はロータ４１のコインポケット４３ａ，４３ｂの回転停止位置を回転制御する手段を示し、この回転制御に際しては、受入位置ａ1 に導かれたＩＣコインの有無を検知する第１検知センサＳ1 と、回収位置と共通する待機位置ａ4 を検知する第２検知センサＳ2 と、返却位置と共通する確認位置ａ3 を検知する第３検知センサＳ3 と、情報処理位置と共通する補給位置ａ2 を検知する第４検知センサＳ4 と、ホームポジション位置（受入位置ａ1 と共通）を検知する第５検知センサＳ5 とを配設し、これらのセンサ信号に基づいてロータ４１を回転制御するものである。図中、６０は補給口シャッタ、６１はＩＣコイン照明用ＬＥＤを示す。
【００７１】
図９はスロット用台間機の制御回路ブロック図を示し、制御部９１はＣＰＵ，ＲＯＭ，ＲＡＭを備え、ＣＰＵはＲＯＭに格納されたプログラムに沿って各回路装置を制御し、ＲＡＭは動作に必要なデータを記憶する。
【００７２】
そして、上述の制御部９１には、コイン返却ボタン３４、コイン表示器３６、払出しボタン３７、駆動モータＭ、第１〜第５検知センサＳ1 〜Ｓ5 、シャッタソレノイド５２、ＩＣコイン照明用ＬＥＤ６１、紙幣処理装置９２、ＩＣコイン通信装置９３、電源装置９４、払出しデータ（メダル枚数）出力部９５、外部通信装置９６を接続している。なお、払出しデータ出力部９５は払出しデータを、スロット用台間機１２ｂから隣設するスロット用遊技台１１ｂに送信して電子管理し、プレーヤによるメダルの投入操作を省略した能率のよい遊技操作を促進している。また、外部通信装置９６はホストコンピュータ１０に接続してデータ通信を行う。
【００７３】
次に、スロット用台間機１２ｂに内蔵されるＩＣコイン処理装置４０の処理動作を図１１〜図１６のフローチャートを参照して説明する。
図１１はロータ４１の回転によるＩＣコインの返却処理動作を示し、通常、ＩＣコイン処理装置４０は、図１１（Ａ）に示すように、ロータ４１の一方のコインポケット４３ａが受入位置ａ1 に待機して、ＩＣコイン２０を受入れ可能な斜め上向きに開口した受入れ待機状態にある。
【００７４】
この待機状態で、スロット用台間機のコイン投入口３３にＩＣコイン２０投入されると、ＩＣコイン２０は投入通路を転動して内方のケーシング４２の受入口４６の位置に導かれ、これより受入位置ａ1 に待機するコインポケット４３ａに受入れられる。この投入されたことを、第１検知センサＳ1 が検知すると（ステップｎ1 ）、
これに基づいて制御部９１が駆動モータＭを９０°正転駆動（図中左回りに回転）して、図１１（Ｂ）に示すように、投入されたＩＣコイン２０を情報処理位置ａ2 に移動させる（ステップｎ2 ）。
【００７５】
この情報処理位置ａ2 に導かれたＩＣコイン２０のデータをＲ／Ｗアンテナ５０が読取り（ステップｎ3 ）、
有効なＩＣコインか否かを判定する。このとき、有効と判定した場合は、払出し用のランプ３７ａを点灯して払出し許容状態を表し、またコイン表示器３６には投入されたＩＣコイン２０の有効残度額を表示する（ステップｎ4 ）。
【００７６】
有効と判定した後、プレーヤにより払出しボタン３７が押下されると（ステップｎ5 ）、
押下回数分の払出しデータが、ＩＣコイン２０から減算されてスロット用遊技台１１ｂ側に出力される。例えば、１回押す毎に５００円分のメダル枚数分の枚数データを出力する。
【００７７】
このように払出し時には、払出し量に応じた金額をＩＣコイン２０から減額処理し、ＩＣコインが保有している残度額がなくなるまで利用される（ステップｎ6 ）。
【００７８】
ところで、上述のステップｎ4 でＲ／Ｗアンテナ５０がコインデータを読取ったときに、ＩＣコイン以外の適用外の硬貨、メダル、偽造コインなどの識別不良コインが投入されたと判定した場合は、ロータ４１を逆回転させて一方のコインポケット４３ａの位置を、図１１（Ｃ）に示すように、受入位置ａ1 を経て返却位置ａ3 へと回転させ、返却位置ａ3 に至ると（ステップｎ7 ）、
続いて、図１１（Ｄ）に示すように、返却口シャッタ５４を開放して返却位置ａ3 よりＩＣコイン２０を下方に落下させて、下方のコイン返却口３８に返却処理する。また、遊技途中でプレーヤが遊技利用を中止するためにコイン返却ボタン３４を押下操作した場合も、同様に上述のＩＣコイン２０の返却処理動作が行われる。
【００７９】
この返却処理後は、ロータ４１を９０°回転させて一方のコインポケット４３ａの位置をホームポジションの位置（受入位置）ａ1 に戻し、次のＩＣコインの投入に備える（ステップｎ8 ）。
【００８０】
次に、ＩＣコインの回収処理動作を図１２のロータの回転動作状態を参照して説明する。
【００８１】
図１２（Ａ）に示すように、投入されたＩＣコイン２０が情報処理位置ａ2 に位置して払出し毎に減額され、ＩＣコイン２０の価値が次第に減って、このＩＣコイン２０の残度額が零（０円）になり、価値がなくなると（ステップｎ9 ）、
図１２（Ｂ）に示すように、ロータ４１を９０°回転させて一方の収納状態にあるコインポケット４３ａの位置を回収位置（待機位置）ａ4 に移動させる（ステップｎ10）。
【００８２】
このとき、１８０°向きの異なる他方のコインポケット４３ｂに次のＩＣコインの投入がなければ、再利用することが可能なので、ここで待機させる（ステップｎ11）。
【００８３】
ところが、次のＩＣコインが投入された場合は、回収位置ａ4 に存在する使用済の無価値のＩＣコイン２０の回収動作に移り、図１２（Ｃ）に示すように、回収口シャッタ５５を開放して回収位置ａ4 よりＩＣコイン２０を落下させて下方の回収通路へと移動させて回収処理が終了する。このとき、１８０°向きの異なる対称位置の他方のコインポケット４３ｂはホームポジションの位置ａ1 にあって、そのままの状態で次のＩＣコインを受入れることができる（ステップｎ12）。
【００８４】
次に、待機されたＩＣコインがある場合の返却処理動作を図１３のロータの回転動作状態を参照して説明する。
今、図１３（Ａ）に示すように、ロータ４１の待機位置ａ4 にある一方のコインポケット４３ａに再利用するための使用済のＩＣコイン２０ａが待機中であるときに、プレーヤによる新規のＩＣコイン２０ｂの投入があった場合、投入された新規のＩＣコイン２０ｂはホームポジション位置（受入位置）ａ1 にある他方のコインポケット４３ｂに受入れられる。
【００８５】
これに基づいて制御部９１は、図１３（Ｂ）に示すように、ロータ４１は９０°回転して投入された新規のＩＣコイン２０ｂを情報処理位置ａ2 に移動させてデータの有効性をチェックし、有効と判定した場合は、その新規のデータから価値情報がなくなるまで払出し対処するように既述したステップｎ1 〜ｎ6 と同様の払出し処理を許容して格納セットされる。
【００８６】
これに対し、無効と判定した場合や遊技を途中で止める場合は、その新規のＩＣコイン２０ｂを返却すべく、図１３Ｃおよび図１３Ｄに示すように、既述したステップｎ7 〜ｎ8 と同じように新規のＩＣコイン２０ｂを収納している他方のコインポケット４３ｂの位置を返却位置ａ3 になるようにロータ４１を回転させ、これより下方の返却口４８に向けて落下させて返却処理する。
【００８７】
次に、待機されたＩＣコインがある場合の回収処理動作を図１４のロータの回転動作状態を参照して説明する。
今、図１４（Ａ）に示すように、ロータ４１の一方のコインポケット４３ａと対応する待機位置ａ4 に再利用するためのＩＣコイン２０ａが待機中であるときに、受入口４６と対応する他方のコインポケット４３ｂに新規のＩＣコイン２０ｂの投入があった場合、
図１４（Ｂ）に示すように、ロータ４１は９０°回転して投入された新規のＩＣコイン２０ｂを情報処理位置ａ2 に移動させてデータの有効性をチェックし、有効と判定した場合は、その新規のデータから価値情報がなくなるまで払出し対処するように既述したステップｎ1 〜ｎ6 と同じ払出し処理を実行する。
【００８８】
その後、払出し毎に減額された新規のＩＣコイン２０ｂの価値がなくなると、その新規のＩＣコイン２０ｂを回収するように、図１４（Ｃ）に示すように、既述したステップｎ9 〜ｎ12と同じく新規のＩＣコイン２０ｂを収納している他方のコインポケット４３ｂの位置を回収位置ａ4 になるようにロータ４１を回転動作させる。
【００８９】
回転動作後は、図１４（Ｄ）に示すように、ロータ４１のコイン無収納状態にある他方のコインポケット４３ａをホームポジションの位置ａ1 に対応させるように１８０°回転させて、次のＩＣコインの投入に備える。
【００９０】
次に、ＩＣコインの投入に代えて現金投入による処理動作を図１５のロータの回転動作状態を参照して説明する。
今、図１５（Ａ）に示すように、ロータ４１の一方のコインポケット４３ａと対応する待機位置ａ4 に、使用済の無価値になったＩＣコイン２０ａが待機中であるときに、プレーヤがＩＣコインの投入でなく、紙幣挿入口３２に遊技すべき金額、例えば千円札を挿入した場合（ステップｎ13）、
制御部９１は、図１５（Ｂ）に示すように、直ちにロータ４１を９０°回転させて情報処理位置ａ2 にＩＣコイン２０を収納している側のコインポケット４３ａを導き（ステップｎ14）、
ここでＲ／Ｗアンテナ５０により千円分のデータをＩＣコイン２０に記録させる（ステップｎ15）。
【００９１】
記録完了後は、図１５（Ｃ）に示すように、ロータ４１を逆転させて内部に待機するＩＣコイン２０を確認窓３５から視認できる位置まで回動させてプレーヤにＩＣコインの存在を確認させた後、
再び、図１５（Ｄ）に示すように、情報処理位置ａ2 の位置に戻して待機し、その後、プレーヤによる払出しボタン３７の入力操作に基づいてＩＣコインから払出しデータを出力させてプレーヤに遊技利用を開始させる。
【００９２】
遊技途中でプレーヤが遊技を止める場合は、ＩＣコイン２０を返却すべく、図１５（Ｅ）および図１５（Ｆ）に示すように、既述したステップｎ7 〜ｎ8 と同じようにＩＣコイン２０を収納している他方のコインポケット４３ｂの位置を返却位置ａ3 になるようにロータ４１を回転させ、これより下方の返却口は４８に向けて落下させて返却処理する。
【００９３】
返却完了後は、図１５（Ｇ）に示すように、ロータ４１を９０°回転させて一方のコインポケット４３ａを受入口４６と対向する位置に回転停止させて、次のＩＣコインの投入に備える。
【００９４】
次に、ＩＣコイン補給利用時の処理動作を図１６のロータの回転動作状態を参照して説明する。
今、図１６（Ａ）に示すように、ロータの待機位置ａ4 にＩＣコイン２０ａがない状態で、プレーヤが紙幣挿入口３２に遊技すべき金額分の紙幣を挿入した場合（ステップｎ16）、
この入金情報に基づいて制御部９１は、図１６（Ｂ）に示すように、直ちにロータ４１を９０°回転させて一方のコインポケット４３ａを情報処理位置（補給位置）ａ2 に移動させ（ステップｎ17）、
移動完了後に上方の図示しない補給装置よりＩＣコインを１枚繰出し、繰出されたＩＣコインは補給口４７より落下して、上向きに対向する一方のコインポケット４３ａ内に収納される（ステップｎ18）。
【００９５】
収納されたＩＣコイン２０に対し、図１６（Ｃ）に示すように、Ｒ／Ｗアンテナ５０を介して入金分のデータを記録させ、記録完了後は、図１６（Ｄ）に示すように、ロータ４１を回転させて内部のＩＣコイン２０をコイン確認窓３５から視認できる位置まで回動させてプレーヤに確認させた後、
再び、図１６（Ｅ）に示すように、情報処理位置ａ2 の位置に戻して待機し、その後、プレーヤによる払出しボタン３７の入力操作に基づいてＩＣコインから払出しデータを出力させてプレーヤに遊技利用を開始させる。
【００９６】
遊技途中でプレーヤが遊技を止める場合は、ＩＣコイン２０を返却すべく、既述したステップｎ7 〜ｎ8 と同一の返却動作を実行する。
【００９７】
また、ＩＣコインの価値がなくなって回収する場合は、図１６（Ｆ）に示すように、既述したステップｎ9 〜ｎ12と同一の回収動作を実行するものである。
【００９８】
上述のように、払出し用媒体にカードではなく、耐久性および取扱い性に優れたＩＣコインを採用し、しかもＩＣコインを受入れるコインポケットを備えたロータをケーシング内で回転制御することにより、ＩＣコインを受入位置、情報処理位置、返却位置、回収位置、待機位置、視認位置などの処理目的位置に容易に回転移動させることができ、また回転移動式のため、周方向に多くの対応位置をコンパクトに効率よく設けることができる。
【００９９】
この発明の構成と、上述の一実施の形態との対応において、
この発明の情報処理部は、実施の形態のＲ／Ｗアンテナ５０に対応し、
以下同様に、
待機部は、回収位置兼用の待機位置ａ4 に対応し、
回転制御手段は、制御部９１に対応するも、この発明は上述の一実施の形態の構成のみに限定されるものではなく、多くの実施の形態を得ることができる。
【図面の簡単な説明】
【図１】  遊技機システムを示す概略構成図。
【図２】  ＩＣコインの平面図。
【図３】  ＩＣコインの断面図。
【図４】  ＩＣモジュールの回路構成を示すブロック図。
【図５】  ＥＥＰＲＯＭに記録されるデータの説明図。
【図６】  台間機の正面図。
【図７】  ＩＣコイン処理装置の内部構造を開放して示す要部側面図。
【図８】  ＩＣコイン処理装置のセンサ配置構成図。
【図９】  スロット用台間機の制御回路ブロック図。
【図１０】  ＩＣコイン処理装置の処理動作を示すフローチャート。
【図１１】  ＩＣコインの返却処理動作を示す説明図。
【図１２】  ＩＣコインの回収処理動作を示す説明図。
【図１３】  待機ＩＣコインがある場合の返却処理動作を示す説明図。
【図１４】  待機ＩＣコインがある場合の回収処理動作を示す説明図。
【図１５】  現金投入による処理動作を示す説明図。
【図１６】  ＩＣコイン補給利用時の処理動作を示す説明図。
【符号の説明】
１１…遊技機
１２，１２ａ，１２ｂ…台間機
２０，２０ａ，２０ｂ…ＩＣコイン
４０…ＩＣコイン処理装置
４１…ロータ
４２…ケーシング
４２ａ…ケーシング片面のカバー
４３ａ，４３ｂ…コインポケット
４６…受入口
４７…補給口
４８…返却口
４９…回収口
５０…Ｒ／Ｗアンテナ
ａ1 …受入位置
ａ2 …情報処理位置
ａ3 …返却位置
ａ4 …回収位置
９１…制御部
【図１】
0004438224.tif 000002
【図２】
0004438224.tif 000003
【図３】
0004438224.tif 000004
【図４】
0004438224.tif 000005
【図５】
0004438224.tif 000006
【図６】
0004438224.tif 000007
【図７】
0004438224.tif 000008
【図８】
0004438224.tif 000009
【図９】
0004438224.tif 000010
【図１０】
0004438224.tif 000011
【図１１】
0004438224.tif 000012
【図１２】
0004438224.tif 000013
【図１３】
0004438224.tif 000014
【図１４】
0004438224.tif 000015
【図１５】
0004438224.tif 000016
【図１６】
0004438224.tif 000017